(57)【特許請求の範囲】
【請求項１】
媒体から本人確認に用いる情報を読み取ってセンタに照会する本人確認装置において、
前記媒体に印刷されてある絵柄、文字等を読み取るイメージ取得手段を備え、
前記媒体は情報格納部を有し、該情報格納部から本人確認に用いる情報が読み取れなかった場合に、
前記絵柄、文字等から前記媒体の種類を認識し、該媒体の種類を基に本人確認に用いる情報の印刷位置を読み出して、該位置のイメージデータを読み取り、
前記イメージデータが正常に読み取れた場合は、前記センタに本人確認に用いる情報を送信して照会を行い、
該照会により本人と確認されると、前記情報格納部の本人確認に用いる情報を再書き込みすることを特徴とする本人確認装置。
【請求項２】
前記本人確認に用いる情報は顧客名と口座情報であり、前記顧客名と口座番号を前記センタに送信し、
前記センタは、前記口座番号から顧客名を認識し、該顧客名を前記送信されてきた顧客名と比較することにより前記照会を行うことを特徴とする請求項１記載の本人確認装置。
【発明の詳細な説明】
【０００１】
【発明の属する技術分野】
本発明は媒体から本人確認に用いる情報を読み取ってセンタに照会する本人確認装置に関する。
【０００２】
【従来の技術】
従来、本人確認装置として、例えば、通帳から本人確認に用いる情報を読み取る自動通帳記帳機がある。自動通帳記帳機は通帳の情報格納部、例えば、磁気ストライプ、ＩＣチップから通帳種類、店番号、口座番号等の情報を読み取り、その情報をセンタに照会し、本人確認に用いられる情報である口座番号等から本人と確認されれば通帳記帳等の取引を続行する。
【０００３】
自動通帳記帳機は、情報格納部から情報が読み取れない場合、例えば、消磁による磁気ストライプのデ−タ破壊により情報が読み取れなかった場合や読取り機の故障の場合、あるいは、情報が読み取れてもセンタへの照会により取引不可と判断された場合には、通帳をそのまま返却している。
【０００４】
【発明が解決しようとする課題】
従来の本人確認装置にあっては、媒体の情報格納部から情報が読み取れなかった場合や、たとえ情報が読み取れてもセンタへの照会により本人でないと判断された場合には、媒体をそのまま返却するので、休日には取引ができず、営業している日に出掛けて取引しなければならず、顧客に迷惑をかけるという問題点があった。
【０００５】
本発明は媒体の情報格納部から本人確認に用いる情報が読み取れない場合には、媒体に印刷されてある絵柄、文字等から本人確認に用いる情報を読み取る本人確認装置を提供することを目的としている。
【０００６】
【課題を解決するための手段】
上記目的を達成するために本発明の本人確認装置においては、媒体に印刷されてある絵柄、文字等から本人確認に用いる情報を読み取るイメ−ジ認識手段を備える。
【０００７】
【発明の実施の形態】
本発明の実施の形態について図面を参照しながら説明する。尚、各図面に共通な要素には同一符号を付す。
自動通帳記帳機は、通帳の情報格納部、例えば磁気ストライプ、ＩＣチップから通帳種類、店番号、口座番号等の情報を読み取り、読み取った情報をセンタに照会し、本人確認に用いられる情報である口座番号等から本人と確認されれば通帳記帳等の取引を続行する。
【０００８】
図１は自動通帳記帳機の構成を示す概略ブロック図、図２は通帳の表裏紙を示す正面図である。自動通帳記帳機１は、通帳挿入口２側から搬送路３に沿って、通帳挿入センサ４、磁気ストライプ処理部５、頁行解析部６、印字部７、カラ−イメ−ジ認識部８（以後イメ−ジ認識部８と記す）の順で配置してある。搬送路３には通帳９を搬送する搬送ロ−ラ１０が配置してある。
【０００９】
磁気ストライプ処理部５は通帳９の裏紙９ａに貼付されてある磁気ストライプ１１に対して磁気記録ヘッド５ａ，磁気読取りヘッド５ｂによりデ−タ記録／読取りを行い、頁行解析部６は反射センサ６ａにより光学的に見開き頁の最終印字行数と頁マ−クとの読取りを行う。
【００１０】
印字部７は頁行解析部６により解析された最終印字行数に続けて取引結果と月日とを印字ヘッド７ａにより印字する。
【００１１】
イメ−ジ認識部８は通帳９の表紙９ｂに印刷されてある絵柄、文字から磁気ストライプに代わる情報をイメ−ジセンサユニット８ａを通じイメ−ジとして読み取る。
【００１２】
図３はイメ−ジセンサユニットの概略図であり、一点鎖線は通帳９を示す。イメ−ジセンサユニット８ａは、光源１２と光電変換手段としてのＣＣＤ（電荷結合素子）センサ１３とからなり、通帳監視センサ１４により通帳９を検出すると、光源１２が点灯され、通帳９の表紙９ｂに印刷されてある絵柄、文字がＣＣＤセンサ１３によりイメ−ジとして読み取られる。
【００１３】
図４は図１に示した自動通帳記帳機のメイン制御部のブロック図である。メイン制御部２０は中央処理装置２１（以後ＣＰＵ２１と記す）とメモリ２２（以後ＭＥＭ２２と記す）と入出力ポ−ト２３（以後Ｉ／Ｏポ−ト２３と記す）とからなり、ＣＰＵ２１はＭＥＭ２２、Ｉ／Ｏポ−ト２３とバスライン２４、２５により接続されている。
【００１４】
ＣＰＵ２１はＩ／Ｏポ−ト２３を通じてホストコンピュ−タ２６、通帳挿入センサ４、搬送モ−タ２７、磁気記録ヘッド５ａ、磁気読取りヘッド５ｂ、頁行センサ６ａ、印字ヘッド７ａ、通帳監視センサ１４、光源１２、ＣＣＤセンサ１３とライン２８〜３７により接続されている。
【００１５】
ＣＰＵ２１はＭＥＭ２２に格納されている制御プログラム、デ−タによりホストコンピュ−タ２６、通帳挿入センサ４、搬送モ−タ２７、磁気記録ヘッド５ａ、磁気読取りヘッド５ｂ、頁行センサ６ａ、印字ヘッド７ａ、通帳監視センサ１４、光源１２、ＣＣＤセンサ１３を制御している。
【００１６】
ＭＥＭ２２には、イメ−ジマッチング用のデ−タ、通帳の種類と店番号、口座番号、顧客名の各印刷位置とのテ−ブルが格納してあり、ＣＰＵ２１はＣＣＤセンサ１３を通じて取り込んだイメ−ジデ−タとマッチングして絵柄、文字から通帳の種類を認識する。
【００１７】
次に、通帳の種類を基にテ−ブルから店番号、口座番号、顧客名の印刷位置を読み出して、その位置のイメ−ジデ−タをコ−ド化し、センタに送信する。センタでは口座番号から顧客を認識し、送信されてきた顧客名と比較して一致ならば本人と確認する。
【００１８】
ホストコンピュ−タ２６はセンタにあり、搬送モ−タ２７は図示せぬ伝達機構を通じて搬送ロ−ラ１０を回転駆動させる。
【００１９】
次に動作について図５を参照して説明する。図５は図１に示した自動通帳記帳機の動作を示すフロ−チャ−トである。ステップＳ1 でＣＰＵ２１は通帳挿入センサ４を通じて通帳９の挿入をセンスしており、通帳挿入を検知するとステップＳ2 に分岐する。
【００２０】
ステップＳ2 でＣＰＵ２１は搬送モ−タ２７を駆動して通帳９を取り込み、磁気読取りヘッド５ｂを通じて通帳９の裏紙９ａに貼付されてある磁気ストライプ１１から通帳種類、店番号、口座番号等の情報を読み取る。
【００２１】
ステップＳ3 でＣＰＵ２１は磁気ストライプ１１から正常に情報を読み取れたか否かをＣＲＣチェックによりチェックし、正常に情報を読み取れた場合にはステップＳ4 に分岐し、否の場合にはステップＳ10に分岐する。
【００２２】
ステップＳ4 でＣＰＵ２１は読み取った情報をセンタのホストコンピュ−タ２６に照会し、ステップＳ5 で本人確認に用いられる情報である口座番号等から本人と確認されればステップＳ6 に分岐し、否ならばステップＳ12に分岐する。
【００２３】
ステップＳ6 でＣＰＵ２１は通帳９を頁行解析部６に搬送し、頁行センサ６ａを通じて頁の最終印字行数と頁マ−クとの読取りを行い、ステップＳ7 で通帳９を印字部７に搬送し、月日と取引結果とを印字する。
【００２４】
ステップＳ8 でＣＰＵ２１は通帳９を磁気ストライプ処理部５に戻し、磁気記録ヘッド５ａにより磁気ストライプ１１にデ−タを再書き込みし、ステップＳ8 で通帳９を通帳挿入口２に戻して処理を終了する。
【００２５】
ステップＳ10に分岐した場合、ＣＰＵ２１は通帳９をイメ−ジ認識部８に搬送し、ＣＣＤセンサ１３を通じて通帳９の表紙９ｂに印刷されてある絵柄、文字をイメ−ジとして読み取り、絵柄、文字のイメ−ジから通帳９の種類、店番号、口座番号、顧客名を認識する。ステップＳ11でイメ−ジ読み取りが正常ならばステップＳ4 に分岐し、否ならばステップＳ12に分岐する。
【００２６】
ステップＳ12で図示せぬ表示部に「通帳使用不可」の文言を表示し、ステップＳ9 に分岐する。
【００２７】
本実施の形態では自動通帳記帳機を例にとって説明したが、自動現金取引装置の通帳記帳機やカ−ドリ−ダにも応用できる。
【００２８】
また、イメ−ジマッチング用のデ−タ、通帳の種類と店番号、口座番号、顧客名の各印刷位置とのテ−ブルを自動通帳記帳機のメモリに格納したが、センタのメモリに格納して、自動通帳記帳機はＣＣＤセンサを通じて読み込んだイメ−ジデ−タをセンタに送信し、本人確認の通知のみを受けるようにしてもよい。
【００２９】
【発明の効果】
本発明は、以上説明したように構成されているので以下に記載される効果を奏する。
媒体に印刷されてある絵柄、文字等から本人確認に用いられる情報を読み取るイメ−ジ認識部を備え、媒体の情報格納部から情報が読み取れない場合には、媒体に印刷されてある絵柄、文字等から本人確認に用いられる情報を読み取って本人確認を行うようにしたことにより、デ−タ破壊等により情報が読み取れなかった場合でも取引ができる。
【００３０】
また、デ−タ破壊等により媒体の情報格納部から本人確認に用いられる情報が読み取れなかった場合でも取引ができることにより、窓口でのデ−タの再書込み処理が不要になるという効果も期待できる。
【図面の簡単な説明】
【図１】自動通帳記帳機の構成を示す概略ブロック図である。
【図２】通帳の表裏紙を示す正面図である。
【図３】イメ−ジセンサユニットの概略図である。
【図４】図１に示した自動通帳記帳機のメイン制御部のブロック図である。
【図５】図１に示した自動通帳記帳機の動作を示すフロ−チャ−トである。
【符号の説明】
１  自動通帳記帳機
５  磁気ストライプ処理部
８  イメ−ジ認識部
２０  メイン制御部
【図１】
0003805580.tif 000002
【図２】
0003805580.tif 000003
【図３】
0003805580.tif 000004
【図４】
0003805580.tif 000005
【図５】
0003805580.tif 000006